(57)【要約】      （修正有）【課題】前後左右に不規則な揺動を生み出すだけでなく、重心配分を考慮し、扉部やストッパー部を備えた、安全な子守椅子を提供する。【解決手段】着座部と、背もたれ部と、揺動部１３からなる子守椅子１であって、子守椅子下部に備える前記揺動部の床接地面Ｐは１点であるように湾曲形成され、前記揺動部の上部は円筒形である、ことを特徴とする子守椅子によって、起き上がりこぼしのような前後左右に不規則な揺動を生み出す。【選択図】図１４
0003232810.tif 000002
【実用新案登録請求の範囲】
【請求項１】
着座部と、背もたれ部と、揺動部からなる子守椅子であって、
子守椅子下部に備える前記揺動部の床接地面は１点であるように湾曲形成され、
前記揺動部の上部は円筒形である、
ことを特徴とする子守椅子。
【請求項２】
請求項１の子守椅子であって、
前記揺動部の高さの２等分以下の部分である揺動部重心下部の重量が、子守椅子総重量の３分の２以上である、
ことを特徴とする子守椅子。
【請求項３】
請求項１の子守椅子であって、
前記背もたれ部と一体化した一対のひじ掛け部と、
を備えることを特徴とする子守椅子。
【請求項４】
請求項３の子守椅子であって、
前記一対のひじ掛け部側面の片側に接続され、他方のひじ掛け部側面でロック可能である、開閉が可能な扉部と、
を備えることを特徴とする子守椅子。
【請求項５】
請求項３の子守椅子であって、
前記一対のひじ掛け部上部又は前記着座部に端に備えられ、押し込み及び引き上げが可能なストッパースイッチ部と、
子守椅子の揺動をストップさせることを目的とした、前記揺動部の床設置面側端から突出する３か所以上のストッパー部と、
を備え、
前記ストッパースイッチ部と前記ストッパーは一体化しており、前記ストッパースイッチ部を押し込んだ際は、前記ストッパー部が下部におりて子守椅子の揺動をストップし、
前記ストッパースイッチ部を引きあげた際は、前記ストッパー部が上部に上がり子守椅子の揺動を開始させる、
ことを特徴とする子守椅子。
【請求項６】
請求項５の子守椅子であって、
前記ストッパースイッチ部はＴ字形状である、
ことを特徴とする子守椅子。
【請求項７】
請求項５の子守椅子であって、
一体化されている前記ストッパースイッチ部と前記ストッパー部は金属製である、
ことを特徴とする子守椅子。
【考案の詳細な説明】
【技術分野】
【０００１】
本考案は主に子守を行うために使用する椅子に関する。
【背景技術】
【０００２】
揺れを得るためのロッキングチェア等の揺れる椅子は多数考案をされている。
【０００３】
近年のロッキングチェアは様々な工夫を凝らし、心地よい揺れを生み出している。
【先行技術文献】
【特許文献】
【０００４】
【特許文献１】実用新案登録第３１６９２７８号
【特許文献２】特開２０１３−２４０４６１号公報
【考案の概要】
【考案が解決しようとする課題】
【０００５】
特許文献１では、特有の形状を有したロッキングプレートを用いて心地よい揺れを生み出し、一対の揺動バーが各フレームと複雑な構成を有しながら揺れを生みだしているが、いずれも前後一方向の揺れしか生み出すことができず、乳幼児を抱きかかえながらの着座は考慮されていないため、子守用としての使用は困難である。複雑な構造を備える特許文献２も同様である。
【課題を解決するための手段】
【０００６】
前記課題を解決するために、請求項１記載の考案は着座部と、背もたれ部と、揺動部からなる子守椅子であって、子守椅子下部に備える前記揺動部の床接地面は１点であるように湾曲形成され、前記揺動部の上部は円筒形である、ことを特徴としている。
【０００７】
請求項２の考案は、請求項１の子守椅子であって、前記揺動部の高さの２等分以下の部分である揺動部重心下部の重量が、子守椅子総重量の３分の２以上である、
ことを特徴としている。
【０００８】
請求項３の考案は請求項１の子守椅子であって、前記背もたれ部と一体化した一対のひじ掛け部と、を備えることを特徴としている。
【０００９】
請求項４の考案は請求項３の子守椅子であって、前記一対のひじ掛け部側面の片側に接続され、他方のひじ掛け部側面でロック可能である、開閉が可能な扉部と、
を備えることを特徴としている。
【００１０】
請求項５の考案は請求項３の子守椅子であって、前記一対のひじ掛け部上部又は前記着座部に端に備えられ、押し込み及び引き上げが可能なストッパースイッチ部と、子守椅子の揺動をストップさせることを目的とした、前記揺動部の床設置面側端から突出する３か所以上のストッパー部と、を備え、前記ストッパースイッチ部と前記ストッパーは一体化しており、前記ストッパースイッチ部を押し込んだ際は、前記ストッパー部が下部におりて子守椅子の揺動をストップし、前記ストッパースイッチ部を引きあげた際は、前記ストッパー部が上部に上がり子守椅子の揺動を開始させることを特徴としている。
【００１１】
請求項６の考案は請求項５の子守椅子であって、前記ストッパースイッチ部はＴ字形状である、ことを特徴としている。
【００１２】
請求項７の考案は請求項５の子守椅子であって、一体化されている前記ストッパースイッチ部と前記ストッパー部は金属製である、ことを特徴としている。
【考案の効果】
【００１３】
本考案によれば、湾曲形成され１点で床面から支えている揺動部が起き上がりこぼしのような前後左右に不規則な揺動を生み出すため、今までにないロッキングチェアであるだけでなく、重心配分を考慮し、扉部やストッパー部を備えたことによって、安全な子守椅子が実現可能である。
【図面の簡単な説明】
【００１４】
【図１】本発明の実施形態に係る子守椅子１が扉部１５を開いた正面図である。
【図２】本発明の実施形態に係る子守椅子１が扉部１５を閉じた正面図である。
【図３】本発明の実施形態に係る子守椅子１が扉部１５を閉じた右側図である。
【図４】本発明の実施形態に係る子守椅子１が扉部１５を閉じた左側図である。
【図５】本発明の実施形態に係る子守椅子１が扉部１５を閉じた背面図である。
【図６】本発明の実施形態に係る子守椅子１が扉部１５を閉じた上面図である。
【図７】本発明の実施形態に係る子守椅子１が扉部１５を閉じた下面図である。
【図８】本発明の実施形態に係る子守椅子１が揺動部１３の重量バランスを説明する図である。
【図９】本発明の実施形態に係る子守椅子１がストッパー部を床面方向に伸ばし、揺動を止め、椅子１の動作を固定した正面図である。
【図１０】本発明の実施形態に係る子守椅子１がストッパー部を床面方向に伸ばし、揺動を止め、椅子１の動作を固定した左側面図である。
【図１１】本発明の実施形態に係る子守椅子１がストッパースイッチ部を押し込みストッパー部を床面方向に伸ばす動作を示した左側面図である。
【図１２】本発明の実施形態に係る子守椅子１がストッパースイッチ部を引き上げストッパー部を収納する動作を示した左側面図である。
【図１３】本発明の実施形態に係る子守椅子１に幼児を抱擁する親又は祖父母等が着座した図である。
【図１４】本発明の実施形態に係る子守椅子１に幼児を抱擁する親又は祖父母等が着座し、揺動している図である。
【考案を実施するための形態】
【００１５】
以下、添付図面を参照しながら本考案の実施の形態について説明する。以下の実施の形態は、本考案を説明するための例示であり、本考案をその実施の形態のみに限定する趣旨ではない。また、本考案は、その要旨を逸脱しない限り、様々な変形が可能である。さらに、各図面において同一の構成要素に対しては可能な限り同一の符号を付し、重複する説明は省略する。
【００１６】
図１は本考案の実施形態に係る子守椅子１（以下、椅子１と略す）が扉部１５を開いたの正面図、図２は本考案の実施形態に係る椅子１が扉部１５を閉じた正面図、図３は本考案の実施形態に係る椅子１が扉部１５を閉じた右側面図、図４は本考案の実施形態に係る椅子１が扉部１５を閉じた左側面図、図５は本考案の実施形態に係る椅子１が扉部１５を閉じた背面図、図６は本考案の実施形態に係る椅子１が扉部１５を閉じた上面図、図７は本考案の実施形態に係る椅子１が扉部１５を閉じた下面図である。
【００１７】
椅子１は図１乃至図７の通り、着座部１１、背もたれ部１２、揺動部１３、ひじ掛け部１４を対で形成する右ひじ掛け部１４ａ及び左ひじ掛け部１４ｂ、扉部１５、ストッパー部１６を形成する右ストッパースイッチ部１６ａ、  左ストッパースイッチ部１６ｂ、右前ストッパー部１６ｃ、  右後ストッパー部１６ｄ、左前ストッパー部１６ｅ及び左後ストッパー部１６ｆ、並びに対の足置き部１７を形成する右足置き部１７ａ及び左足置き部１７ｂからなる。椅子１の素材は問わず、可塑性プラスチック等の高分子材料製、金属製及び木製等でも良いが、ぬくもりを感じられるため木製が好ましい。
【００１８】
椅子１の大きさは特に定めないが、子守椅子であることを鑑みた場合、椅子１の高さＨは５００ｍｍ〜２０００ｍｍ、好ましくは８００ｍｍ〜１５００ｍｍ、さらに好ましくは１０００ｍｍ〜１２００ｍｍである。また、椅子１を均等に揺動させるには椅子１の幅Ｗと奥行きＤは同じであることが好ましいが、異なっても良い。椅子１の幅Ｗ及び奥行きＤは５００ｍｍ〜１５００ｍｍ、好ましくは６００ｍｍ〜１２００ｍｍ、さらに好ましくは７００ｍｍ〜１０００ｍｍである。
【００１９】
着座部１１は図１、図２及び図６に示す通り、臀部があたるため、クッション性を持たせても良いし、座り心地を重視する臀部形状でもよい。着座部１１の素材は特にこだわらないが、通常のクッションで使用される高分子材料、具体的にはウレタン製等であってもよく、形状を維持可能であるように、弾性を余り有しない材質が好ましい。ただし、「弾性」を抑え「粘性」を有する低反発素材（ポリオールとポリイソシアネートを主成分として発泡剤、整泡剤、触媒等を撹拌混合して発泡した素材など）であってもよい。
【００２０】
背もたれ部１２は図１乃至図６に示す通り、背中が当たるため、クッション性を持たせても良いし、座り心地を重視する湾曲形状でもよい。背もたれ部１２の素材は特にこだわらないが、椅子１素材そのものでもよいし、座り心地を優先するのであれば高分子材料、具体的にはウレタン製等を背もたれ表面部側１２ａに接着しても良い。
【００２１】
図１乃至図７に示す通り、揺動部１３は床接地点Ｐに１点で設置するように下部は湾曲上に形成され、上部は着座部１１及び背もたれ部１２を支えるように上部に向かって幅及び奥行きを減少させる円筒形を形成する。床接地点Ｐは椅子１を１点で支えるため、椅子１は前後左右に揺動する。
【００２２】
揺動部１３はバランスをとるために、図８に示す揺動部１３の高さ１３Ｈの半分以下の高さとなる重心高１３ｇＨの重量が、座る人物の体重を含めた椅子１の総重量の三分の二以上の重量であることが好ましい。人形である起き上がりこぼしの動作原理で、揺動しても倒れず、元の位置に戻る安定を得るためである。揺動部１３は重量が増すため、材料は金属製及び木製等などが好ましいが、揺動部１３の内部のみ比重の高い素材としても良い。
【００２３】
図１乃至図４及び図６に示す通り、ひじ掛け部１４は対となる右ひじ掛け部１４ａ及び左ひじ掛け部１４ｂからなり、図のとおり背もたれ部１２と一体化しても良いし、背もたれ部１２とは一体化されていなくても良い。ひじ掛け部１４は無くても良いが、扉部１５を設置すること、及び椅子１が揺動することを鑑みれば備えておいた方が良い。
【００２４】
図１乃至図４及び図６に示す通り、扉部１５は右ひじ掛け部１４ａ及び左ひじ掛け部１４ｂを備えた場合に、右ひじ掛け部１４ａ又は左ひじ掛け部１４ｂに丁番１５ａなどで接続し、接続とは逆側のひじ掛け部１４にロックをかけ、着座時し揺動した場合に、身体が飛び出さないように安全バーとして働く。図１及び図６は扉部１５が開いた状態であり、この状態で着座し、図２乃至図４は扉部１５が閉じた状態である。
【００２５】
図１、図３、図４、図６及び図７に示す通り、ストッパー部１６は右ストッパースイッチ部１６ａ、  左ストッパースイッチ部１６ｂ、右前ストッパー部１６ｃ、  右後ストッパー部１６ｄ、左前ストッパー部１６ｅ及び左後ストッパー部１６ｆから形成される。ストッパー部１６は椅子１の揺動を止める機能を有し、図７に示す通り揺動部１３の床設置点Ｐ側端から突出する４か所以のストッパー部である右前ストッパー部１６ｃ、  右後ストッパー部１６ｄ、左前ストッパー部１６ｅ及び左後ストッパー部１６ｆを有する。ストッパー部は図７に示す通り４か所が好ましいが、３か所以上を有すれば揺動は止まるため、１か所減らしても良いし、さらに増加して５か所以上でもよい。
【００２６】
図３及び図４に示す通り、右ストッパースイッチ部１６ａ、  左ストッパースイッチ部１６ｂは押し込み、引き出しがしやすいようにＴ字形でもよいし、他の形状でもよい。ストッパー部を操作する方法は定めないが、例えば図９乃至図１２のように動作させても良い。
【００２７】
図９及び図１０に示す通り、右前ストッパー部１６ｃ、  右後ストッパー部１６ｄ、左前ストッパー部１６ｅ及び左後ストッパー部１６ｆを床面方向に伸ばし、揺動を止め、椅子１の動作を固定する。ストッパーを延出させる操作は例えば図１１に示す通り、  左ストッパースイッチ部１６ｂを押し込むと、ストッパー接続部１６ｇを介して、左前ストッパー部１６ｅ及び左後ストッパー部１６ｆを下に降ろす。ストッパーを収納する操作は例えば図１２に示す通り、  左ストッパースイッチ部１６ｂ上に引き上げ、ストッパー接続部１６ｇを介して、左前ストッパー部１６ｅ及び左後ストッパー部１６ｆを上に収納する。
【００２８】
図１１及び図１２に示す通り、  左ストッパースイッチ部１６ｂ、ストッパー接続部１６ｇ、左前ストッパー部１６ｅ及び左後ストッパー部１６ｆは一体化しており、同様に右ストッパースイッチ部１６ａ、ストッパー接続部１６ｇ、右前ストッパー部１６ｃ及び右後ストッパー部１６ｄは一体化しており、変形しない素材であることが好ましく、塑性プラスチック等の高分子材料製、金属製及び木製等でも良いが、金属製が好ましい。
【００２９】
足置き部１７は、図１乃、図２及び図６に示すように対となる右足置き部１７ａ及び左足置き部１７ｂからなり、着座した際に足を置く場所として、揺動部１３を凹部として設ける。足置き部１７は着座する際に着座者の足が固定されないため、備えた方が良いが、設けなくてもよい。
【００３０】
＜実施形態＞
次に椅子１の使用方法について説明する。図１３は本考案の実施形態に係る椅子１に子守をする親又は祖父母等２が幼児３を抱擁しながら着座している図である。着座前は図９、図１０及び図１１のようにストッパー部１６が延出し、揺動せず動きが固定されている。幼児３を抱擁した親又は祖父母等２が着座後、扉部１５を閉めて、右ストッパースイッチ部１６ａ、  左ストッパースイッチ部１６ｂを上げ揺動を図１４のように揺動する。
【００３１】
１    子守椅子
１１    着座部
１２    背もたれ部
１３    揺動部
１４ａ  右ひじ掛け部
１４ｂ  左ひじ掛け部
１５    扉部
１６ａ  右ストッパースイッチ部
１６ｂ  左ストッパースイッチ部
１６ｃ  右前ストッパー部
１６ｄ  右後ストッパー部
１６ｅ  左前ストッパー部
１６ｆ  左後ストッパー部
１６ｇ  ストッパー接続部
１７ａ  右足置き部
１７ｂ  左足置き部
２  子守をする親又は祖父母等
３  幼児
Ｇ  地面
Ｐ  椅子設置部
【図１】
0003232810.tif 000003
【図２】
0003232810.tif 000004
【図３】
0003232810.tif 000005
【図４】
0003232810.tif 000006
【図５】
0003232810.tif 000007
【図６】
0003232810.tif 000008
【図７】
0003232810.tif 000009
【図８】
0003232810.tif 000010
【図９】
0003232810.tif 000011
【図１０】
0003232810.tif 000012
【図１１】
0003232810.tif 000013
【図１２】
0003232810.tif 000014
【図１３】
0003232810.tif 000015
【図１４】
0003232810.tif 000016